(57)【要約】【課題】小型化されても荷重の検出精度の低下を抑制しつつ十分な触覚フィードバックを呈示することができる触覚呈示装置を提供する。【解決手段】触覚呈示装置１は、操作面２ａに複数の入力領域が規定された操作部２と、複数の入力領域に対応して配置され、複数の入力領域ごとの荷重Ｆを検出する複数の圧電素子と、複数の圧電素子が配置される少なくとも２つ以上の異なる配置層を有し、操作面２ａ側から見て一部が重なるように複数の圧電素子を支持する支持部５と、を備えて概略構成されている。【選択図】図２
2018181084.tif 000002
【特許請求の範囲】
【請求項１】
操作面に複数の入力領域が規定された操作部と、
前記複数の入力領域に対応して配置され、前記複数の入力領域ごとの荷重を検出する複数の圧電素子と、
前記複数の圧電素子が配置される少なくとも２つ以上の異なる配置層を有し、前記操作面側から見て一部が重なるように前記複数の圧電素子を支持する支持部と、
を備えた触覚呈示装置。
【請求項２】
前記操作部と前記複数の圧電素子の間には、複数の押子が設けられ、
前記複数の押子は、接触する圧電素子が属する配置層が前記操作面から離れるに従って厚みを増し、また実質的な剛性を等しくされる、
請求項１に記載の触覚呈示装置。
【請求項３】
前記支持部は、表面から凹むように形成されて圧電素子が配置される複数の凹部と、前記複数の凹部ごとに設けられ、配置された圧電素子の撓みを許容する複数の空洞と、を有する、
請求項１又は２に記載の触覚呈示装置。
【請求項４】
前記支持部は、前記複数の凹部ごとに設けられ、挿入された圧電素子が接触する複数の接触部を有し、
前記複数の凹部は、一部が共有され、
前記接触部の高さは、圧電素子が属する配置層が前記操作面から離れるに従って低くされる、
請求項３に記載の触覚呈示装置。
【請求項５】
前記支持部は、前記操作部を支持する複数の支持突起を前記表面に有する、
請求項１乃至４のいずれか１項に記載の触覚呈示装置。
【請求項６】
前記複数の圧電素子のいずれかの圧電素子によって前記操作面になされた操作が検出された場合、当該圧電素子を制御して前記操作面に振動を付加する制御部を備えた、
請求項１乃至５のいずれか１項に記載の触覚呈示装置。
【発明の詳細な説明】
【技術分野】
【０００１】
本発明は、触覚呈示装置に関する。
【背景技術】
【０００２】
従来の技術として、入力部と、入力部に設けられた複数の振動部と、押圧された入力位置に応じて、複数の振動部のうち一部の振動部を振動させる制御部と、を備えた触覚伝達装置が知られている（例えば、特許文献１参照。）。
【０００３】
この触覚伝達装置は、振動部として圧電素子を使用し、またこの圧電素子によって入力部に付加された荷重を検出するように構成されている。
【先行技術文献】
【特許文献】
【０００４】
【特許文献１】特開２０１１−９０６１５号公報
【発明の概要】
【発明が解決しようとする課題】
【０００５】
しかし従来の触覚伝達装置は、複数の圧電素子によって荷重の検出と振動の呈示を行なっているので、小型化するために圧電素子を小さくした場合、荷重の検出精度の低下や振動による十分な触覚フィードバックの呈示を行うことができない可能性がある。
【０００６】
従って本発明の目的は、小型化されても荷重の検出精度の低下を抑制しつつ十分な触覚フィードバックを呈示することができる触覚呈示装置を提供することにある。
【課題を解決するための手段】
【０００７】
本発明の一態様は、操作面に複数の入力領域が規定された操作部と、複数の入力領域に対応して配置され、複数の入力領域ごとの荷重を検出する複数の圧電素子と、複数の圧電素子が配置される少なくとも２つ以上の異なる配置層を有し、操作面側から見て一部が重なるように複数の圧電素子を支持する支持部と、を備えた触覚呈示装置を備えた触覚呈示装置を提供する。
【発明の効果】
【０００８】
本発明によれば、小型化されても荷重の検出精度の低下を抑制しつつ十分な触覚フィードバックを呈示することができる。
【図面の簡単な説明】
【０００９】
【図１】図１（ａ）は、実施の形態に係る触覚呈示装置の一例を示す概略図であり、図１（ｂ）は、図１（ａ）のI（ｂ）-I（ｂ）線で切断した断面を矢印方向から見た断面図の一例である。
【図２】図２は、実施の形態に係る触覚呈示装置の一例を示す展開図である。
【図３】図３（ａ）は、実施の形態に係る触覚呈示装置の圧電素子の一例を示す概略図であり、図３（ｂ）は、触覚呈示装置のブロック図の一例である。
【図４】図４は、実施の形態に係る触覚呈示装置の動作の一例を示すフローチャートである。
【発明を実施するための形態】
【００１０】
（実施の形態の要約）
実施の形態に係る触覚呈示装置は、操作面に複数の入力領域が規定された操作部と、複数の入力領域に対応して配置され、複数の入力領域ごとの荷重を検出する複数の圧電素子と、複数の圧電素子が配置される少なくとも２つ以上の異なる配置層を有し、操作面側から見て一部が重なるように複数の圧電素子を支持する支持部と、を備えて概略構成されている。
【００１１】
この触覚呈示装置は、圧電素子を複数の配置層に分けて配置するので、圧電素子の一部が操作面側から見て重なるように配置することができる。従って触覚呈示装置は、圧電素子によって荷重の検出と触覚フィードバックの呈示を行う場合、小型化しても圧電素子の大きさを変えなくても良いので、この構成を採用しない場合と比べて、小型化されても荷重の検出精度の低下を抑制しつつ十分な触覚フィードバックを呈示することができる。
【００１２】
[実施の形態]
（触覚呈示装置１の概要）
図１（ａ）は、実施の形態に係る触覚呈示装置の一例を示す概略図であり、図１（ｂ）は、図１（ａ）のI（ｂ）-I（ｂ）線で切断した断面を矢印方向から見た断面図の一例である。図２は、実施の形態に係る触覚呈示装置の一例を示す展開図である。図３（ａ）は、実施の形態に係る触覚呈示装置の圧電素子の一例を示す概略図であり、図３（ｂ）は、触覚呈示装置のブロック図の一例である。なお、以下に記載する実施の形態に係る各図において、図形間の比率は、実際の比率とは異なる場合がある。また図３（ｂ）では、主な信号や情報の流れを矢印で示している。
【００１３】
この触覚呈示装置１は、例えば、車両のステアリングに配置され、車両に搭載された電子機器を操作するように構成されている。また触覚呈示装置１は、例えば、ステアリングを把持した状態で親指などの操作指によって操作される小型の操作装置である。なお触覚呈示装置１の配置は、これに限定されず、例えば、電子機器の操作部として、当該電子機器の表示部などの近くに配置されても良い。
【００１４】
また触覚呈示装置１は、操作部２に付加された荷重を検出すると共に振動による触覚フィードバックを呈示するように構成されている。
【００１５】
触覚呈示装置１は、例えば、図１（ａ）〜図２に示すように、操作面２ａに複数の入力領域が規定された操作部２と、複数の入力領域に対応して配置され、複数の入力領域ごとの荷重Ｆを検出する複数の圧電素子と、複数の圧電素子が配置される少なくとも２つ以上の異なる配置層を有し、操作面２ａ側から見て一部が重なるように複数の圧電素子を支持する支持部５と、を備えて概略構成されている。
【００１６】
本実施の形態の配置層とは、一例として、図１（ｂ）に示すように、操作面２ａに近い第１の配置層６１と、第１の配置層６１と異なると共に平行な層であり、操作面２ａから遠い第２の配置層６２と、であるがこれに限定されず、さらに複数の配置層であっても良い。
【００１７】
また本実施の形態の複数の入力領域とは、一例として、図１（ａ）の紙面において中央に位置する中央入力領域２１、上側に位置する上入力領域２２、下側に位置する下入力領域２３、左側に位置する左入力領域２４、及び右側に位置する右入力領域２５である。
【００１８】
またこの入力領域に対応する複数の圧電素子とは、一例として、中央入力領域２１の下方に配置された圧電素子４０、上入力領域２２の下方に配置された圧電素子４１、下入力領域２３の下方に配置された圧電素子４２、左入力領域２４の下方に配置された圧電素子４３、及び右入力領域２５の下方に配置された圧電素子４４である。なお操作面２ａの入力領域は、これらに限定されず、触覚呈示装置１の仕様に応じて任意に設定することが可能である。
【００１９】
また触覚呈示装置１は、操作部２と複数の圧電素子の間には、複数の押子が設けられ、複数の押子は、接触する圧電素子が属する配置層が操作面２ａから離れるに従って厚みを増し、また実質的な剛性を等しくされている。
【００２０】
具体的には、第１の配置層６１には、例えば、図１（ｂ）に示すように、圧電素子４０が配置されている。また第２の配置層６２には、例えば、圧電素子４１〜圧電素子４４が配置されている。従って第１の配置層６１の圧電素子と接触する押子とは、中央入力領域２１の圧電素子４０と接触する押子３０である。また第２の配置層６２の圧電素子と接触する押子とは、上入力領域２２の圧電素子４１と接触する押子３１、下入力領域２３の圧電素子４２と接触する押子３２、左入力領域２４の圧電素子４３と接触する押子３３、右入力領域２５の圧電素子４４と接触する押子３４である。
【００２１】
そして押子３０の厚みｔ１は、例えば、図２に示すように、押子３１〜押子３４の厚みｔ２よりも薄くされている。なお圧電素子の配置は、上記に限定されず、第１の配置層６１に複数の圧電素子が配置されても良いし、さらに複数の配置層が設けられても良い。
【００２２】
またさらに触覚呈示装置１は、複数の圧電素子（圧電素子４０〜圧電素子４４）のいずれかの圧電素子によって操作面２ａになされた操作が検出された場合、当該圧電素子を制御して操作面２ａに振動を付加する制御部８を備えている。
【００２３】
ここで触覚呈示装置１が表示装置に表示されたカーソルの移動を指示できる場合、操作者は、例えば、上入力領域２２にプッシュ操作を行うことでカーソルを上方向に移動させ、下入力領域２３にプッシュ操作を行うことで下方向、左入力領域２４にプッシュ操作を行うことで左方向、右入力領域２５にプッシュ操作を行うことで右方向に移動させることができる。そして例えば、操作者が所望のアイコンなどをカーソルで選択した状態で中央入力領域２１にプッシュ操作を行うことで、選択されたアイコンの機能の実行が決定される。
【００２４】
触覚呈示装置１は、一例として、入力領域に対してプッシュ操作が判定された場合、ボタンを押し込んだ際のクリック感などを模した触覚フィードバックを呈示する。なお触覚フィードバックは、これに限定されず、操作を受け付けたことを示す触覚などであっても良い。
【００２５】
（操作部２の構成）
操作部２は、例えば、樹脂を用いて円板形状を有している。操作部の操作面２ａには、例えば、図１（ａ）に示すように、印刷やレーザなどによって上下左右方向の矢印や文字が形成されている。また操作部２に付加された荷重Ｆは、押子３０〜押子３４を介して接触する圧電素子４０〜圧電素子４４に作用する。また圧電素子４０〜圧電素子４４が生成した振動は、接触する押子３０〜押子３４、及び操作部２を介して操作指９に伝達される。
【００２６】
なお変形例として操作部２は、上面視において円形や対称な形状に限定されず、他の形状であっても良い。
【００２７】
上入力領域２２は、図１（ａ）の紙面において上向きの矢印の周囲の点線で囲まれた領域である。また下入力領域２３は、下向きの矢印の周囲の点線で囲まれた領域である。また左入力領域２４は、左向きの矢印の周囲の点線で囲まれた領域である。また右入力領域２５は、右向きの矢印の周囲の点線で囲まれた領域である。そして中央入力領域２１は、操作部２の中心の点線の円で囲まれた領域である。なお他の点線よりも間隔の広い点線で囲まれた円は、圧電素子４０〜圧電素子４４の外形を示している。
【００２８】
（押子３０〜押子３４の構成）
押子３０〜押子３４は、例えば、ポリカーボネートなどの樹脂を用いて円柱形状に形成され、操作部２になされたプッシュ操作に伴う荷重Ｆを接触する圧電素子に伝達するものである。この押子３０〜押子３４は、接触する圧電素子との接触面積が等しくなるようにされている。
【００２９】
押子３０は、第１の配置層６１に配置されているので、第２の配置層６２に配置されている他の押子３１〜押子３４よりも操作部２に近くなっている。従って押子３０は、第２の配置層６２に配置されている他の押子３１〜押子３４よりも厚みが薄くなっている。
【００３０】
しかし押子は、全てが同じ材料で形成された場合、他の押子と比べて厚みが薄いと荷重Ｆの伝達や振動の伝達、そして操作時のストロークに差が生じる。従って厚みが薄い押子３０は、他の押子３１〜押子３４と実質的な剛性が等しくされている。この実質的に剛性が等しくされるとは、荷重Ｆや振動の伝達、そしてストロークの差が予め定められた許容範囲に収まる程度の剛性であることを示している。具体的には、押子３０は、他の押子３１〜押子３４と比べてヤング率が小さくされる。なおこの剛性は、操作面２ａを押し込む方向の剛性を示している。
【００３１】
なお変形例として押子３０〜押子３４は、プッシュ操作方向の剛性が同一でできるのであれば、二色成形などによって操作部２と一体とされても良い。
【００３２】
（圧電素子４０〜圧電素子４４の構成）
圧電素子４０〜圧電素子４４は、同じ構成を有する。従って以下では、圧電素子４０の構成について説明する。圧電素子４０は、例えば、図３（ａ）に示すように、円板形状を有する圧電体４ａと、圧電体４ａよりも半径が大きい円板形状を有する金属シム４ｂと、を備えたユニモルフ型の圧電素子である。この圧電素子４０には、圧電体４ａと電気的に接続する上部配線と、金属シム４ｂと電気的に接続される下部配線と、が接続されている。
【００３３】
なお変形例として圧電素子は、例えば、２枚の圧電体を金属シム４ｂの両面に設けたバイモルフ型圧電素子であっても良い。この場合、押子と接触する圧電体によって荷重を検出し、裏側の圧電体のみ、又は双方の圧電体が振動するように構成される。
【００３４】
圧電体４ａの材料としては、例えば、ニオブ酸リチウム、チタン酸バリウム、チタン酸鉛、チタン酸ジルコン酸鉛（ＰＺＴ）、メタニオブ酸鉛、ポリフッ化ビニリデン（ＰＶＤＦ）などが用いられる。圧電体４ａは、例えば、これらの材料を用いて形成された膜を積層して形成された積層型の圧電体である。なお圧電体４ａは、圧電定数がｄ３３となるように厚み方向に分極し、厚み方向の変形に対して出力が大きくなるように構成されている。
【００３５】
金属シム４ｂは、例えば、導電性を有するリン青銅やステンレスなどによって形成されている。
【００３６】
圧電素子４０は、操作面２ａに荷重Ｆが付加されると、操作部２を介して押子３０によって圧電体４ａに荷重Ｆが付加されて変形する。圧電体４ａは、この変形に応じた電圧を、上部配線及び下部配線を介して出力する。また圧電体４ａは、上部配線及び下部配線を介して電圧が印加されるとこの電圧に応じて変形する。圧電素子４０〜圧電素子４４は、例えば、図３（ｂ）に示すように、荷重Ｆに応じて出力した電圧を荷重信号Ｓ１〜荷重信号Ｓ５として制御部８に出力し、制御部８から出力された駆動信号Ｓ６〜駆動信号Ｓ１０に基づく電圧に応じて変形して振動するように構成されている。
【００３７】
（支持部５の構成）
支持部５は、例えば、図１（ａ）〜図２に示すように、ポリカーボネートなどの樹脂を用いて円柱形状に形成されている。この支持部５は、表面５ａから凹むように形成されて圧電素子が配置される複数の凹部と、複数の凹部ごとに設けられ、配置された圧電素子の撓みを許容する複数の空洞と、を備えている。
【００３８】
具体的には、支持部５は、圧電素子４０が配置される凹部５００、圧電素子４１が配置される凹部５１０、圧電素子４２が配置される凹部５２０、圧電素子４３が配置される凹部５３０、及び圧電素子４４が配置される凹部５４０を備えている。また支持部５は、凹部５００に空洞５０が設けられ、凹部５１０に空洞５１が設けられ、凹部５２０に空洞５２が設けられ、凹部５３０に空洞５３が設けられ、凹部５４０に空洞５４が設けられている。
【００３９】
空洞５０〜空洞５４の圧電素子側の開口は、例えば、図３（ａ）に示すように、圧電体４ａが撓むように、圧電体４ａの半径より大きく、かつ金属シム４ｂの半径より小さい半径を有する形状であることが好ましい。
【００４０】
複数の凹部は、一部が共有されている。具体的には、凹部５００、凹部５１０、凹部５２０、凹部５３０及び凹部５４０は、例えば、図２に示すように、金属シム４ｂの形状に応じた円形状を有している。そして第１の配置層６１の凹部５００と第２の配置層６２の凹部５１０、凹部５２０、凹部５３０及び凹部５４０は、一部が共有されている。この共有部分があるので、圧電素子４０〜圧電素子４４は、圧電素子４０を中心として各金属シム４ｂを接触させた際の外形よりも小さい領域に配置することができる。
【００４１】
また支持部５は、複数の凹部ごとに設けられ、挿入された圧電素子が接触する複数の接触部を有している。凹部５００には、４５°間隔で４つの接触部５０５が形成されている。また凹部５１０には、４５°間隔で４つの接触部５１５が形成されている。凹部５２０には、４５°間隔で４つの接触部５２５が形成されている。凹部５３０には、４５°間隔で４つの接触部５３５が形成されている。凹部５４０には、４５°間隔で４つの接触部５４５が形成されている。
【００４２】
この接触部５０５、接触部５１５、接触部５２５、接触部５３５及び接触部５４５は、圧電素子との接触面積が等しくなるようにされている。
【００４３】
なお変形例として接続部は、凹部に配置された圧電素子の金属シム４ｂと電気的に接続する電極パターンが形成されていても良い。
【００４４】
また接触部の高さは、圧電素子が属する配置層が操作面２ａから離れるに従って低くされる。つまり第１の配置層６１の接触部５０５の高さは、例えば、図２に示すように、第２の配置層６２の接触部５１５、接触部５２５、接触部５３５及び接触部５４５の高さよりも高くされている。これは、凹部５００、凹部５１０、凹部５２０、凹部５３０及び凹部５４０の表面５ａからの深さが等しくとなるように形成されるためである。
【００４５】
従って第１の配置層６１の接触部５０５と第２の配置層６２の接触部５１５、接触部５２５、接触部５３５及び接触部５４５は、異なる平面で圧電素子を保持し、それぞれの圧電素子が干渉しないようにするため、高さを変えて設けられている。
【００４６】
支持部５は、さらに操作部２を支持する複数の支持突起５６を表面５ａに備えている。この支持突起５６は、圧電素子の中心から等しい距離に設けられている。触覚呈示装置１は、これらの構成を有しているので、荷重Ｆが異なる入力領域に等しく印加された場合、圧電体４ａの変形量を実質的に等しくすることができ、プッシュ操作を判定するための荷重しきい値８０や触覚フィードバックを呈示するための駆動信号を入力領域ごとに設定しなくても良い。
【００４７】
この支持突起５６は、凹部の周囲に４５°間隔で４つ設けられている。そして中央の凹部５００の周囲の支持突起５６は、他の凹部５１０、凹部５２０、凹部５３０及び凹部５４０の支持突起５６と共有している。また凹部５１０、凹部５２０、凹部５３０及び凹部５４０は、中央側の支持突起５６が隣接する凹部の支持突起５６を共有したものとなっている。従って支持部５は、共有せずに支持突起５６を設けた数（５×４＝２０個）よりも少ない１２個の支持突起５６を有している。
【００４８】
（制御部８の構成）
制御部８は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部８が動作するためのプログラムと、荷重しきい値８０と、駆動パターン情報８１と、が格納されている。ＲＡＭは、例えば、一時的に演算結果などを格納する記憶領域として用いられる。
【００４９】
この制御部８は、圧電素子４０〜圧電素子４４から出力された荷重信号Ｓ１〜荷重信号Ｓ５を荷重Ｆに変換するように構成されている。
【００５０】
そして制御部８は、変換された荷重Ｆと荷重しきい値８０とを比較し、荷重Ｆが荷重しきい値８０以上である場合、当該荷重Ｆが検出された入力領域にプッシュ操作がなされたと判定する。そして制御部８は、プッシュ操作がなされた入力領域の情報を含む操作情報Ｓ１１を生成して接続された電子機器に出力する。
【００５１】
また制御部８は、プッシュ操作が検出された入力領域に対して触覚フィードバックを呈示するため、駆動パターン情報８１に基づいて駆動信号Ｓ６〜駆動信号Ｓ１０を生成するように構成されている。この駆動信号Ｓ６〜駆動信号Ｓ１０は、プッシュ操作が検出された入力領域の圧電素子に対して出力される。
【００５２】
以下に本実施の形態の触覚呈示装置１の動作について図４のフローチャートに従って説明する。
【００５３】
（動作）
触覚呈示装置１の制御部８は、ステップ１の「Ｙｅｓ」が成立する、つまり荷重信号Ｓ１〜荷重信号Ｓ５に基づいていずれかの入力領域において荷重Ｆが検出された場合（Ｓｔｅｐ１：Ｙｅｓ）、当該荷重Ｆと荷重しきい値８０とを比較する（Ｓｔｅｐ２）。
【００５４】
制御部８は、当該荷重Ｆが荷重しきい値８０以上である場合、当該荷重Ｆを検出した圧電素子が配置された入力領域にプッシュ操作がなされたと判定する（Ｓｔｅｐ３：Ｙｅｓ）。
【００５５】
制御部８は、駆動パターン情報８１に基づいてプッシュ操作が検出された圧電素子を駆動する駆動信号を生成して出力すると共に、プッシュ操作が検出された入力領域の情報を含む操作情報Ｓ１１を生成して接続された電子機器に出力する（Ｓｔｅｐ４）。
【００５６】
ここでステップ３において制御部８は、検出された荷重Ｆが荷重しきい値８０より小さく、プッシュ操作が判定されない場合（Ｓｔｅｐ３：Ｎｏ）、ステップ１に処理を進める。
【００５７】
（実施の形態の効果）
本実施の形態に係る触覚呈示装置１は、小型化されても荷重Ｆの検出精度の低下を抑制しつつ十分な触覚フィードバックを呈示することができる。具体的には、触覚呈示装置１は、圧電素子４０を第１の配置層６１に配置し、他の圧電素子４１〜圧電素子４４を第１の配置層６１と異なる層に位置する第２の配置層６２に配置するので、一部が操作面２ａ側から見て重なるように圧電素子４０〜圧電素子４４を配置することができる。つまり触覚呈示装置１は、重なるように配置することができるで、同じ大きさや構成を有する圧電素子４０〜圧電素子４４を、圧電素子４０を中心として各金属シム４ｂを接触させた際の外形よりも小さい領域に配置することができる。従って触覚呈示装置１は、圧電素子４０〜圧電素子４４によって荷重Ｆの検出と触覚フィードバックの呈示を行う場合、小型化しても圧電素子４０〜圧電素子４４の大きさを変えなくても良いので、この構成を採用しない場合と比べて、小型化されても荷重Ｆの検出精度の低下を抑制しつつ十分な触覚フィードバックを呈示することができる。
【００５８】
触覚呈示装置１は、押子３０〜押子３４と圧電素子との接触面積が同じであり、またプッシュ操作方向の剛性が等しくされているので、この構成を採用しない場合と比べて、入力領域における荷重Ｆや触覚フィードバックの伝達、プッシュ操作時のストロークなどの差を許容範囲に収めることができる。従って触覚呈示装置１は、荷重Ｆや触覚フィードバックの伝達、プッシュ操作時のストロークなどの入力領域における差が小さいので、操作性が良い。
【００５９】
触覚呈示装置１は、第１の配置層６１の凹部５００と第２の配置層６２の凹部５１０、凹部５２０、凹部５３０及び凹部５４０との一部が共有されているので、圧電素子を支持する接触部の配置を対称とすることができ、また金属シム４ｂとの接触面が各圧電素子で同一となるようにすることができるので、荷重Ｆの作用や振動の付加によるがたを抑制し、異音の発生などを抑制することができる。
【００６０】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６１】
１…触覚呈示装置、２…操作部、２ａ…操作面、４ａ…圧電体、４ｂ…金属シム、５…支持部、５ａ…表面、８…制御部、９…操作指、２１…中央入力領域、２２…上入力領域、２３…下入力領域、２４…左入力領域、２５…右入力領域、３０〜３４…押子、４０〜４４…圧電素子、５０〜５４…空洞、５６…支持突起、６１…第１の配置層、６２…第２の配置層、８０…荷重しきい値、８１…駆動パターン情報、５００…凹部、５０５…接触部、５１０…凹部、５１５…接触部、５２０…凹部、５２５…接触部、５３０…凹部、５３５…接触部、５４０…凹部、５４５…接触部
【図１】
2018181084.tif 000003
【図２】
2018181084.tif 000004
【図３】
2018181084.tif 000005
【図４】
2018181084.tif 000006